Podtech/llm-jp-corpus-v4-ja_patent huggingface dataset:
(57)【特許請求の範囲】
【請求項１】
ステッキ型の同径の中空棒状部材（２）と、穴（１）と、集積部（３）と、吸い込み口（４）を備え、中空棒状部材（２）の上部の持ち手部分に設けた穴（１）を指で塞ぎながら浴槽の水中に沈め、沈殿物付近で指を離すことで、中空棒状部材（２）の下端に設けた吸い込み口（４）から沈殿物を吸い込み、中空棒状部材（２）の下部に設けた２つの穴を通して当該部材の外部に設けた集積部（３）に貯留することを特徴とするステッキ型スイーパー。
【発明の詳細な説明】
【技術分野】
【０００１】今までに、この様な商品は無かった。
【発明の概要】
【発明が解決しようとする課題】
【０００２】浴槽の中央の底に沈殿したゴミを少量の水で吸い取る。
【課題を解決する為の手段】
【０００３】追い炊きすると、水流が出来沈殿物が全体にまじり取れなくなる。
必ず、追い炊きする前に取る。
本発明は、以上の構成によりなるスイーパーの商品である。
【発明の効果】
【０００４】本器柄の部分に、親指で空気を抜く穴を塞ぎ水中に沈め沈殿物に向け指を離し空気を抜く、水圧で沈殿物が入る。
１回で取り切れない時は、何回か繰り返す。
出来るだけ追い焚きする前にする。
沈殿していたゴミが拡散し取れなくなる。
【図面の簡単な説明】
【０００５】
【図１】  本発明に係るスイーパーの側面図である。
【図２】  本発明の使用例を示す。１を  親指でふさぎシンクの底にある中央ゴミの部分まで沈める。４を  ゴミ部分に近づけて１を  離す。ゴミが３に  吸い込まれてくる。３に  いっぱいになったら外に捨てる。同様に１〜２回繰り返す。。
【要約】      （修正有）【課題】風呂の水の追い炊き前は、必ずゴミがシンク中央の底に集まっている。そのゴミだけを吸い取る品を提供する。【解決手段】本器の柄の部分に、空気を抜く穴１がある。ここを親指で塞ぎ、シンクの底にある中央のゴミ部分まで沈める。４をゴミ部分に近づけて、空気を抜く穴１から指を離す。ゴミが３に吸い込まれてくる。いっぱいになったら外に捨てる。１回で取り切れない時は、何回か繰り返す。出来るだけ追い焚きする前にする。【選択図】図２【図１】
0006960080.tif 000002
【図２】
0006960080.tif 000003
(57)【特許請求の範囲】
【請求項１】
柿の果実から柿タンニンを搾汁した残滓を柿の果実エキスとし、この柿の果実エキスを主原料とする新型コロナウイルス（SARS-CoV-2）不活性化剤。
【発明の詳細な説明】
【技術分野】
【０００１】
本発明は、新型コロナウイルス（SARS-CoV-2）不活性化剤に関する。
【背景技術】
【０００２】
昨今、猛威を振るう新型コロナウイルス（SARS-CoV-2ウイルス）に対しては、しだいにウイルス特性が判明し、ワクチンが開発されつつある。しかし、今度は変異種が登場し、ワクチンも効果が不安定で、現状では副作用が危惧されているものもある。【０００３】
感染の予防剤、抑制剤としては、例えば特許文献１（特開２０００−４４４７３号公報）には茶ポリフェノールを有効成分としたコロナウイルス感染予防剤が、特許文献２（特開２０１２−１３６４３６号公報）には松樹皮、ピーナッツ渋皮、ぶどう種子、小豆からポリフェノール成分を水抽出した乳酸菌発行物が抗コロナウイルス活性を向上させると、それぞれ記載されている。【０００４】
しかしながら、上記はいずでもコロナウイルス(SARSやMERS)に対するものであり、新型コロナウイルスに対するものではなかった。したがって、新型コロナウイルスに対して有効な感染予防剤、感染抑制剤は存在しない。
【先行技術文献】
【特許文献】
【０００５】
【特許文献１】特開２０００−４４４７３号公報
【特許文献２】特開２０１２−１３６４３６号公報
【発明の概要】
【発明が解決しようとする課題】
【０００６】
解決しようとする問題は、新型コロナウイルスの感染予防、感染抑制に対して有効な不活性化剤が未だ存在しないことである。
【課題を解決するための手段】
【０００７】
上記課題を解決するため、本発明の新型コロナウイルス不活性化剤は、柿の果実から柿タンニンを搾汁した残滓を柿の果実エキスとし、この柿の果実エキスを主原料とした。
【発明の効果】
【０００８】
本発明によれば、新型コロナウイルスの感染価を１／１００００程度まで下げることができた。
【図面の簡単な説明】
【０００９】
【図１】本発明の試験結果を示す図である。
【発明を実施するための形態】
【００１０】
本発明は、新型コロナウイルスを不活性化するという目的を、柿の果実から柿タンニンを搾汁した残滓を柿の果実エキスとし、この柿の果実エキスを主原料とすることで達成した。
【実施例】
【００１１】
以下、図１を参照して、本発明の試験結果について説明する。試験材料及び被験物質など各種条件、試験手法は次のとおりである。【００１２】
（ウイルス）
SARS-CoV-2/JP/Hiroshima-46059T/2020
事前にDMEM(※Dulbecco's Modified Eagle Medium)で調整した冷凍保管ウイルス溶液（血清含まず）を使用。※ダルベッコ・フォークト変法イーグル最小必須培地【００１３】
（細胞）
VeroE6/TMPRSS2  ※アフリカミドリザルの腎臓細胞【００１４】
（被験物質）
・実施例１：柿の果実から柿タンニンを搾汁した残滓つまり柿の果実エキスの５％水溶液
・実施例２：実施例１を酸性にｐＨ調整した果実エキスの１％水溶液
・比較例１：緑茶エキスの５％水溶液
・比較対象：滅菌水
【００１５】
（ウイルスとの反応条件）
被験物質：ウイルス  ＝  ９：１（容量比）
室温で３０分
※血清非存在下【００１６】
（試験方法）
被験物質とウイルス溶液を混合し、所定の反応を行った。
細胞毒性確認用に、被験物質とEMEM（Eagle's minimum; essential medium:イーグル最小必須培地）を混合し、所定の反応を行った。【００１７】
本反応液５０μリットルを４５０μリットルのEMEMと混合した。
EMEMで１０倍希釈を繰り返し、８段階希釈系を作成した。
細胞毒性確認用として、４段階希釈系を作成した。【００１８】
細胞に各希釈液１００μリットルを加え、３７℃、５％Ｃｏ2 下で１時間の感染処理を行った。ウイルス感染後、２０％FCS(※)含有EMEMを５０μリットル加え、Ｃｏ2 インキュベーター内で２日間培養した。※(FCS＝Fetal Calf Serum：ウシ胎児血清)
経日的に顕微鏡下で細胞変性効果（cytopathic effect；CPE）を確認した。【００１９】
細胞がウェルからはがれたことを確認後、１００μリットルのイソプロパノールを加え、１００μリットル固定液（エタノール：酢酸  ＝  ５：１）を加え、一晩静置した。【００２０】
固定液を捨て、染色液（０．５％アミドブラック入りエタノール：酢酸：水  ＝  ４５：１０：４５）を各ウェルに３０μリットル分注し、ウェル全体に行きわたらせ、１分程度おいて流水ですすぎ、ウイルス感染の有無を目視で判定した。【００２１】
５０％感染量(TCID50／ｍリットル)は、Behrens-karber法で算出した。
TCID：Tissue Culture Infectious Dose＝組織培養感染量
Behrens-karber法による算出
CID50＝（最も低い希釈倍率）×（段階希釈した倍率）Σ-0.5
Σ＝（各希釈段階における細胞変性が認められたウェル数）／（検体数）の総和【００２２】
（結果）
上記試験の結果を図１と下記表１に示す。図１において斜線ハッチングはウイルス感染価(SARS-CoV-2添加)、ドットハッチングは細胞毒性(SARS-CoV-2無添加)を示す。図１において、本発明の細胞毒性は確認されなかった。
また、下記、表１においては、本発明は、比較対象に対して常用対数で３．８（実施例１）、４．８（実施例２）のSARS-CoV-2の不活性効果を有した。さらに、本発明は、比較例１に対して常用対数で０．５（実施例１）、１．５（実施例２）のSARS-CoV-2の不活性効果を有した。【００２３】
【表１】
0006960707.tif 000002
【要約】
【課題】新型コロナウイルスに対して有効な感染予防剤、感染抑制剤が未だ存在しないことに対応することを課題とする。
【解決手段】本発明は、柿の果実エキスを主原料としている。
【効果】本発明によれば、新型コロナウイルスの感染価を１／１００００程度まで下げることができた。
【選択図】図１【図１】
0006960707.tif 000003
(57)【特許請求の範囲】
【請求項１】
くしゃくしゃにして丸められた紙からなる紙タオルが袋内に圧縮状態で収容された袋入り紙タオル。
【請求項２】
前記紙は和紙である請求項１記載の袋入り紙タオル。
【請求項３】
前記和紙の厚さが３匁以上である請求項２記載の袋入り紙タオル。
【発明の詳細な説明】
【技術分野】
【０００１】
本発明は、洗髪後の髪の毛やペットの毛等の水分の拭き取り等に用いられる袋入り紙タオルに関する。
【背景技術】
【０００２】
洗髪後はタオルを用いて水分を拭き取ってから乾燥させることが一般的である。特に、髪の長い人の場合、ドライヤーを用いて髪を乾燥させる前に十分に水分を拭き取ることが、髪を乾燥させる時間を短縮することや髪を保護するために重要である。
【０００３】
従来、例えば特許文献１に記載のように、タオルの吸水性を高めた高吸水性タオルも開発されている。この高吸水性タオルは、タオル地を構成する繊維の少なくとも一部を水によって膨潤する膨潤性繊維とすることにより、優れた水の吸水性能および保水性能を実現したものである。
【先行技術文献】
【特許文献】
【０００４】
【特許文献１】実開平３−２２０８１号公報
【発明の概要】
【発明が解決しようとする課題】
【０００５】
上記のような高吸水性タオルは、特殊な繊維を用いて形成する必要があり、製造コストが高くなるという問題がある。また、この高吸水性タオルのように、水の吸水性能および保水性能が優れているということは、高吸水性タオルを洗濯した際に乾きにくいということでもあり、繰り返し使用するために通常のタオルよりも手間を要する。
【０００６】
そこで、本発明においては、吸水性が高く、手軽に使用することが可能な袋入り紙タオルを提供することを目的とする。
【課題を解決するための手段】
【０００７】
本発明の袋入り紙タオルは、くしゃくしゃにされた紙からなる紙タオルが袋内に圧縮状態で収容されたものである。本発明に係る紙タオルは、くしゃくしゃの状態のまま袋から取り出して、洗髪後の髪の毛やペットの毛等の水分の拭き取り等に使用することができる。本発明に係る紙タオルは、袋から取り出してもくしゃくしゃの状態を保ち、その凹凸により保水性が向上しているため、水分を拭き取った際にすばやく吸水する。また、使用後はそのまま廃棄することができる。
【発明の効果】
【０００８】
本発明の袋入り紙タオルは、袋内に圧縮状態で収容されているため、携帯に便利であり、くしゃくしゃの状態のまま袋から取り出すだけで手軽に使用することが可能である。また、洗髪後の髪の毛やペットの毛等の水分をすばやく吸水することができるため、ドライヤーを用いて乾燥させる時間を大幅に短縮することができ、髪の毛やペットの毛等をドライヤーの熱から保護することができる。
【図面の簡単な説明】
【０００９】
【図１】本発明の実施の形態における袋入り紙タオルの使用状態を示す斜視図である。
【図２】本発明の実施の形態における袋入り紙タオルの断面図である。
【発明を実施するための形態】
【００１０】
図１は本発明の実施の形態における袋入り紙タオルの使用状態を示す斜視図、図２は本発明の実施の形態における袋入り紙タオルの断面図である。
【００１１】
本発明の実施の形態における袋入り紙タオル１は、図２に示すように、紙としての和紙からなる紙タオル２が袋３内に圧縮状態で収容されたものである。紙タオル２は、一般的なフェイスタオルの大きさである長辺７９ｃｍ〜１００ｃｍ×短辺２９ｃｍ〜３３ｃｍ程度から一般的なバスタオルの大きさである長辺１１８ｃｍ〜１２８ｃｍ×短辺５８〜６４ｃｍ程度の大きさの１枚の平たい和紙をくしゃくしゃにして丸め、ボール状にしたものである。
【００１２】
和紙は、こうぞ、みつまた、がんぴ等を原料とする日本古来の製法による紙を使用する。これらの和紙は、特に強度、吸水性、耐久性に優れており、髪の毛等の拭き取りの際に破れたりすることなく、水分をすばやく吸水する。なお、和紙の厚さは、３匁以上、好ましくは５匁以上または６匁以上、より好ましくは９匁以上とする。３匁〜５匁は一般的な障子紙程度の厚さである。６匁〜９匁はしっかりとした厚さであり、十分な吸水量を確保することができる。
【００１３】
袋入り紙タオル１は、このようにくしゃくしゃにしてボール状にした紙タオル２を袋３内に収容し、袋３内の空気を抜いて圧縮し、密閉したものである。袋３は、ナイロン、ポリエチレンや、これらの複合素材等からなるフィルムにより形成される。
【００１４】
使用者は、袋入り紙タオル１を使用する際には、袋３を破いて中の紙タオル２を取り出す。取り出した紙タオル２は、図１に示すように若干膨らんだ状態となる。使用者は、この取り出した紙タオル２を用いて洗髪後の髪の毛やペットの毛等の水分の拭き取りを行う。紙タオル２は、図１に示すように丸まった状態のまま使用したり、タオルのように拡げて使用したりすることも可能である。
【００１５】
上記のように、本実施形態における袋入り紙タオル１では、紙タオル２をくしゃくしゃの状態のまま袋３から取り出して、洗髪後の髪の毛やペットの毛等の水分の拭き取り等に使用することができる。この紙タオル２は、袋３から取り出しても、くしゃくしゃの状態を保っており、その凹凸により保水性が向上しているため、水分を拭き取った際にすばやく吸水する。また、使用後はそのまま廃棄することができる。
【００１６】
このように、本実施形態における袋入り紙タオル１は、紙タオル２が袋３内に圧縮状態で収容されているため、携帯に便利であり、紙タオル２はくしゃくしゃの状態のまま袋から取り出すだけで手軽に使用することが可能である。また、洗髪後の髪の毛やペットの毛等の水分をすばやく吸水することができるため、ドライヤーを用いて乾燥させる時間を大幅に短縮することができ、髪の毛やペットの毛等をドライヤーの熱から保護することができる。
【００１７】
特に、本実施形態における紙タオル２は、こうぞ、みつまた、がんぴ等を原料とする日本古来の製法による和紙を使用しているため、強度、吸水性、耐久性に優れており、髪の毛等の拭き取りの際に破れたりすることなく、水分をすばやく吸水することができる。
【００１８】
なお、本実施形態においては、１枚の和紙をくしゃくしゃにして紙タオル２を形成しているが、複数枚の和紙を重ねてくしゃくしゃにして形成しても良い。また、紙として和紙だけでなく、植物繊維を膠着させて製造した紙を使用することも可能である。
【産業上の利用可能性】
【００１９】
本発明は、洗髪後の髪の毛やペットの毛等の水分の拭き取り等に用いられる袋入り紙タオルとして有用であり、一般家庭や美容室等で使用可能である。特に、吸水性が高く、手軽に使用することが可能な袋入り紙タオルとして好適である。
【符号の説明】
【００２０】
１  袋入り紙タオル
２  紙タオル
３  袋
【図１】
0006964893.tif 000002
【図２】
0006964893.tif 000003
(57)【特許請求の範囲】
【請求項１】
屋根上屋全体を覆うガルバリウム製の屋根材と、屋根材の水下最下部付近に形成された落込み穴と、落込み穴から融雪水と雨水が垂直自然落下する位置に形成された排水用のスノーダクトとを備え、スノーダクトの長手方向両端付近にドレンパイプを連結したことを特徴とするハイディング無落雪屋根。
【発明の詳細な説明】
【発明の詳細な説明】
【技術分野】
【０００１】本発明は、積雪寒冷地域にあって屋根に雪を載せたまま自然処理する、いわゆる無落雪建築（ウィキペディア参照）における代表的な方式であるスノーダクト方式において、そのダクトの設置位置を開渠式から、屋根材の下部に隠蔽設置する暗渠式にて構成するという発想の転換による斬新な構法に関する。
【背景技術】
【０００２】スノーダクト方式で代表的なものとしては、Ｍ型屋根と呼ばれる屋根の中央がＶ字形に構成されたもので、屋根の中央にスノーダクトと呼ばれる大型の樋を抱えたもの（実登３１５５６４１）と、スノーダクトを建物の外郭に設置したインサイダー無落融雪建築工法（特開２０１０−００７４３８）などが存在するが、いずれの方式もスノーダクト上部はオープンなため、落ち葉やゴミなどが飛来集積したものを毎年一回程度取り除いて清掃する必要があった。【０００３】近年では、スノーダクトカバー（特開２００５−３２５６５４）や排水溝カバー（実登  ３１５９８３５）が考案され市場に出回っているが、いずれもその強度や耐久性、強風でカバーが吹き飛びなど改善には至っていない。【０００４】屋根材について当局の見解では防火指定地域や準防火地域にあっては、本来耐火製品の使用を義務付けているが、現実的にはスノーダクトはＦＲＰで難燃性での製造が限界であり、スノーダクトカバーについても樹脂製のものが多く出廻る現実があるため、社会的にも抜本的な無落雪屋根の改良が望まれていた。
【発明の開示】
【発明が解決しようとする課題】
【０００６】落ち葉対策やゴミ飛散よる詰まりや結氷による凍結事故を防ぐために、スノーダクトについて開渠方式を抜本的に見直し、防火指定地域に於いてでも純然と対応可能な構法でこれら課題を解決するほか、合わせてコストダウンの効果も狙うものである。
【課題を解決するための手段】
【０００７】
スノーダクトの開渠方式を改め、屋根上屋全体を覆うガルバリウム製の屋根材１と、屋根材１の水下最下部付近に形成された落込み穴２と、落込み穴２から融雪水と雨水が垂直自然落下する位置に形成された排水用のスノーダクト３とを備え、スノーダクト３の長手方向両端付近にドレンパイプ５を連結したことにより、開渠から暗渠に変更し、更にスノーダクト周辺はパラペット及び外壁で囲うことによりスノーダクトを隠蔽（ハイディング）する。
【発明の効果】
【０００８】上記の発明を実施することにより、屋根全体が屋根材で覆われることになるので、スノーダクトの開口部に落ち葉やゴミが飛来し堆積することはなく、スノーダクトのカバーは必要なくなるほか、スノーダクトが屋上に露出していないので近隣火災時の飛び火の影響もなくフラッシュオーバーなどの防火防災上の問題も全く無くなる。【０００９】屋根材が建物上部全体を覆うこととなり、スノーダクト周りは外壁などで全周が囲われるので保温状態が良くなり結氷による凍結事故も防ぐことになる。
更には、スノーダクトが屋根の下に隠れることにより、スノーダクト自体を日光による照射での紫外線劣化を防ぐことができ、耐久性の向上が見込まれる。【００１０】更には、スノーダクトについて従来の開渠形設置の場合は、雪と雪融水が同時にスノーダクトになだれ込む理由から、その幅寸法は非常に大型のものが設計されていたが、本考案の暗渠方式の場合は雪融水と雨水の流入だけとなり、雪魂が一緒に紛れ込む可能性が無くなることから、スノーダクトは幅挟の小型設計が可能となり大幅なコストダウンが可能となる。
【発明を実施するための形態】
【００１１】本発明の実施例（屋根材にガルバリウム製折板使用）を図面に基づいて説明する。
【実施例】
【００１２】図１は、本発明の一実施例を示す建物の断面図であり、屋根材１で屋根上屋全体を覆ってある。屋根材の水下最下部付近には融雪水と雨水の落込み穴２（形状は問わず）を設けてスノーダクト３に垂直自然落下するよう構成してある。屋根材水下最下部にはトタンで包加工を施した雪返し４を設け、雨水の建物内への侵入を防ぐとともに、雪のスライド圧を取り除いてある。なお実施例の屋根材は折板で説明してあるので、この場合は、水上水下双方にレインシャット加工が施されている。（図示なし）【００１３】スノーダクト３の長手方向両端付近には排水用のドレンパイプ５が連結してあり、排水路に連結され最終的には敷地内の水路に排出されるものである。
スノーダクト３の周囲全方位は屋根材１、パラペット６、軒天７，凹面外壁８、凸面外壁９にて全て包囲してありスノーダクト３内における溜り水の凍結を防いである。以上の構成により、屋根材１に積もった雪１０は、風気流の関係で建物上部にてフラットな状態になり、結果として雪が積もりにくいという無落雪屋根本来の働きをなすものであり、同時に建物固有の体温と暖気到来の気候の環境で融雪する融水の排水及び降雨時の排水を容易にするものである。【００１４】以上に本発明の実施形態を示したが、本発明はこれに限られるものではなく、発明思想を逸脱しない範囲で各種の変更が可能である。例えば図面には示さないが、スノーダクト３を梁１１などの横架材に載架せず、折板用の吊金物を用いて屋根材１の下にスノーダクト３を直接懸架する方法も容易に考えられる。【００１５】また、先の実施例において極寒冷地においては、スノーダクト３の外部周囲と建物内部空間に発泡ウレタンなどの断熱材を吹き付け、断熱仕様に施工することも容易に考えられるほか、スノーダクト３における万一の溢水を防ぐ２次的な予防策としてＰＶＣシートなどを母屋１２側面から軒天７の上部にかけてＬ形に垂らし敷設することも可能で、この場合はオーバーフロー排水口１５を軒天７のパラペット６寄りに設置することも可能である。
【図面の簡単な説明】
【００１６】
【図１】本発明の一実施形態を示す建物の側断面図である。
【図２】本発明の一実施形態を示す建物斜め上方から見た鳥瞰図である。
【図３】本発明の一実施形態を示す建物の上方から見た平面図である
【図４】本発明の一実施形態を示す建物の正面図である。
【符号の説明】
【００１７】１    屋根材（ガルバリウム鋼板製の折板）
２    落込み穴（融雪水や雨水を自然落下せしめる穴）
３    スノーダクト（樋）
４    雪返し板
５    ドレンパイプ
６    パラペット
７    軒天
８    凹面外壁
９    凸面外壁
１０  雪
１１  梁
１２  母屋
１３  天井
１４  外壁
１５  オーバーフロー排水口
【図１】
0006964895.tif 000002
【図２】
0006964895.tif 000003
【図３】
0006964895.tif 000004
【図４】
0006964895.tif 000005